(57)【要約】【課題】照明装置の電源のオンの安全性を確保した照明装置を提供する。【解決手段】照明動作を行う照明部と、前記照明動作とは異なる非照明動作を行う電子機器と、を備える照明装置であって、前記電子機器は、前記照明装置専用でない外部機器と無線通信してデータを受信する無線通信手段と、前記無線通信手段が受信した前記データに基づいて前記非照明動作のための処理を実行する処理実行手段と、を備え、前記照明部及び前記電子機器は、前記照明装置の専用操作部によって電源がオンし、前記外部機器によっては電源がオンしないように構成されている。【選択図】図１
2014099369.tif 000002
【特許請求の範囲】
【請求項１】
照明動作を行う照明部と、前記照明動作とは異なる非照明動作を行う電子機器と、を備える照明装置であって、
前記電子機器は、前記照明装置専用でない外部機器と無線通信してデータを受信する無線通信手段と、前記無線通信手段が受信した前記データに基づいて前記非照明動作のための処理を実行する処理実行手段と、を備え、
前記照明部及び前記電子機器は、前記照明装置の専用操作部によって電源がオンし、前記外部機器によっては電源がオンしないように構成されている、
ことを特徴とする照明装置。
【請求項２】
前記無線通信手段は、前記外部機器との無線通信を開始するための処理を、前記電子機器がオン状態になったときから所定時間に達するまでの間に実行し、前記所定時間に達したあとは前記処理を終了する、
ことを特徴とする請求項１に記載の照明装置。
【請求項３】
前記照明部は、前記専用操作部への操作に基づいて電源がオンし、
前記電子機器は、前記照明部の電源がオンしたことに基づいて電源がオンする、
ことを特徴とする請求項１又は２に記載の照明装置。
【請求項４】
前記専用操作部は、壁スイッチであるか、前記照明装置の付属のリモートコントローラであるか、または、前記照明装置の専用リモートコントローラである、
ことを特徴とする請求項１乃至３のいずれか１項に記載の照明装置。
【請求項５】
前記無線通信は、近距離無線通信である、
ことを特徴とする請求項１乃至４のいずれか１項に記載の照明装置。
【請求項６】
前記電子機器は、スピーカを備える音響機器であり、
前記無線通信手段は、音声を表す音声データを受信し、
前記処理実行手段は、前記音声データが表す前記音声を前記スピーカから出力する、
ことを特徴とする請求項１乃至５のいずれか１項に記載の照明装置。
【発明の詳細な説明】
【技術分野】
【０００１】
本発明は、照明装置に関する。
【背景技術】
【０００２】
例えば、特許文献１には、照明動作を行う照明部と、前記照明動作とは異なる非照明動作（ここでは音声出力）を行う電子機器と、を備える照明装置（ここではスピーカー装置）が開示されている。この照明装置は、携帯電話機などの照明装置専用でない外部機器と通信し、この外部機器から送られてくる音声信号に基づいて音声を再生出力するようになっている。
【先行技術文献】
【特許文献】
【０００３】
【特許文献１】特開２００８−３５１３３号公報
【発明の概要】
【発明が解決しようとする課題】
【０００４】
ところで、上記特許文献１には、照明部及び電子機器の電源をどのようにオンするかが開示されていないが、例えば、上記外部機器によって照明装置の電源をオン／オフするように照明装置を構成することが考えられる。しかし、このような構成では、照明装置の電源のオンの安全性が損なわれてしまうことがあった。
【０００５】
本発明は、上記実情に鑑みてなされたものであり、照明装置の電源のオンの安全性を確保した照明装置を提供することを目的とする。
【課題を解決するための手段】
【０００６】
本発明に係る照明装置は、
照明動作を行う照明部と、前記照明動作とは異なる非照明動作を行う電子機器と、を備える照明装置であって、
前記電子機器は、前記照明装置専用でない外部機器と無線通信してデータを受信する無線通信手段と、前記無線通信手段が受信した前記データに基づいて前記非照明動作のための処理を実行する処理実行手段と、を備え、
前記照明部及び前記電子機器は、前記照明装置の専用操作部によって電源がオンし、前記外部機器によっては電源がオンしないように構成されている、
ことを特徴とする。
【発明の効果】
【０００７】
本発明によれば、照明装置の電源のオンの安全性を確保することができる。
【図面の簡単な説明】
【０００８】
【図１】本発明の一実施の形態に係る照明装置の構成などを示す図である。
【図２】照明側制御部が実行する処理の一例を示すフローチャートである。
【図３】専用コントローラへの操作、操作信号、照明側制御部によって行われる処理の関係を示す説明図である。
【図４】音響側制御部が実行する処理の一例を示すフローチャートである。
【発明を実施するための形態】
【０００９】
以下、図面を参照しつつ、本発明の実施の形態について説明する。図１は、本実施の形態に係る照明装置１の構成などを示す概略ブロック図である。なお、図１は、ブロック構成以外の構成は、概略断面図として描かれているが、図１では断面を表すハッチングや内部構造については適宜省略されている。
【００１０】
照明装置１は、電源接続部１１と、吊り下げ部材１２と、照明部１３と、音響機器２０と、を備える。照明装置１は、天井９０の電源部９０ａ（照明装置１の取り付け対象）に取り付けられるものである。電源部９０ａは、天井９０に設けられた、引掛シーリング、引掛ローゼットなどから構成される。電源部９０ａは、照明装置１に電力を供給する商用電源である。上記電源部９０ａからの電力の供給・非供給（つまり、照明装置１のオン・オフ）は、例えば、室内の壁１１０などに設けられた壁スイッチ１００によって切り替えられる。壁スイッチ１００は、照明装置１への電力の供給・非供給（つまり、照明装置１のオン・オフ）を切り替えるものであればよい。
【００１１】
電源接続部１１は、例えば、引っ掛け金具を備える。電源接続部１１は、この引っ掛け金具を電源部９０ａの挿通孔に挿通し、電源接続部１１を回転させることによって、電源部９０ａに取り付けられるアダプターなどである。引っ掛け金具によって、電源接続部１１は、電源部９０ａから脱落しないようになっている。電源接続部１１は、電源部９０ａからの交流電力を直流電力に変換する。
【００１２】
電源接続部１１は、略円柱状の電源接続部本体１１ａと、２つのツメ１１ｂと、を備える。電源接続部本体１１ａの外周には、２つの貫通孔が形成され、この２つの貫通孔それぞれからツメ１１ｂが突出している。なお、ツメ１１ｂの数は、複数であれば、３つ以上であってもよい。ツメ１１ｂは、例えば、電源接続部本体１１ａ内部のバネなどの弾性部材によって、電源接続部本体１１ａの外側に向かって付勢されている。このため、ツメ１１ｂに所定方向の力が加わることによって、ツメ１１ｂは電源接続部本体１１ａの内部に引っ込むようになっている。
【００１３】
電源接続部本体１１ａには、配線Ｌ１及びＬ２がコネクタなどによって接続されている。配線Ｌ１は、音響機器２０にコネクタなどによって接続される。配線Ｌ２は、照明部１３にコネクタなどによって接続される。壁スイッチ１００をオンすると、電源部９０ａから電力が供給される。このとき、電源接続部本体１１ａは、電源部９０ａからの交流電力を音響機器２０用の直流電力に変換し、配線Ｌ１を介して音響機器２０に供給する。電源接続部本体１１ａは、電源部９０ａからの交流電力を照明部１３用の直流電力に変換し、配線Ｌ２を介して照明部１３に供給する。このように、電源接続部１１は壁スイッチ１００がオンしたときに電源部９０ａから供給される電力を音響機器２０および照明部１３に供給する役割を持っている。配線Ｌ１と配線Ｌ２とは、並列に電源接続部本体１１ａに接続されており、これによって、電源部９０ａからの電力は、電源接続部本体１１ａから個別に音響機器２０と照明部１３とに供給される。
【００１４】
この実施の形態では、壁スイッチ１００をオンし、電源接続部１１を介して音響機器２０および照明部１３に電力が供給されることによって、音響機器２０および照明部１３は動作可能になる。この実施の形態では、電力の供給によって音響機器２０が動作可能になること（スリープ状態、スタンバイ状態などを含む。）を、音響機器２０の電源がオンするという。また、電力の供給によって照明部１３が動作可能なること（スリープ状態、スタンバイ状態などを含む。）を、照明部１３の電源がオンするという。また、この実施の形態では、音響機器２０および照明部１３の電源がオンになったことによって、照明装置１の電源がオンになったことになる。
【００１５】
吊り下げ部材１２は、金属や合成樹脂などから形成される。吊り下げ部材１２は、円筒形状の円筒部１２ａと、円筒部１２ａの下端（照明本体１３側の端部）から円筒の径方向（水平方向）外側に張り出したフランジ１２ｂと、から構成されている。
【００１６】
円筒部１２ａは、ツメ１１ｂの形状に合わせて形成された貫通孔１２ｃを備える。貫通孔１２ｃには、ツメ１１ｂが入り込み、これによって、ツメ１１ｂが貫通孔１２ｃの内面に引っ掛かるので、吊り下げ部材１２は、電源接続部１１に取り付けられることになる。また、ツメ１１ｂが貫通孔１２ｃに入り込むことによって、吊り下げ部材１２は、電源接続部１１に対して回転不能に電源接続部１１に取り付けられる。さらに、円筒部１２ａは、配線Ｌ１が中を通る貫通孔１２ｄを備える。これによって、配線Ｌ１を、音響機器２０と電源接続部１１とに接続できる。
【００１７】
フランジ１２ｂの所定位置には、ネジ用の貫通孔が設けられ、この貫通孔にネジ１９が挿入される。ネジ１９は、照明部１３のネジ穴（例えば、照明本体１１の天板に形成される。）と螺合する。このネジ１９の螺合によって、照明部１３に吊り下げ部材１２が固定されることになる。
【００１８】
照明部１３は、発光部１３１、ＩＲ受信部１３２、照明側制御部１３３、などを備える。
【００１９】
発光部１３１は、ＬＥＤ（Ｌｉｇｈｔ  Ｅｍｉｔｔｉｎｇ  Ｄｉｏｄｅ）の発光装置を含んで構成される。つまり、照明装置１は、ＬＥＤ照明装置である。発光部１３１は、照明側制御部１３３の制御のもとで、発光（点灯）又は消灯する。また、発光部１３１は、照明側制御部１３３の制御のもとで、光量を変化させる。発光部１３１の発光によって、発光部１３１から出射した光は、照明部１３外部に出射される。これによって、照明部１３によって照明がなされる。
【００２０】
ＩＲ受信部１３２は、専用リモコン（リモートコントローラ）２００からの操作信号を受信する。この操作信号は、ユーザが専用リモコン２００を操作した場合の操作内容（どのボタンを押したか）を示す信号であり、ここでは、赤外線信号（ＩＲ信号）である。ＩＲ受信部１３２は、赤外線の受光素子などを含んで構成される。ＩＲ受信部１７によって受信した操作信号は、電気信号として照明側制御部１３３に送られる。
【００２１】
専用リモコン２００は、発光部１３１の消灯／点灯を切り替える切り替えボタン２００ａと、発光部１３１の発光光量（明るさ）を上げるためのアップボタン２００ｂと、発光部１３１の発光光量（明るさ）を下げるためのダウンボタン２００ｃと、を備える。専用リモコン２００は、どのボタンが押されたかの操作内容を示す操作信号を送信する（図３参照）。つまり。操作信号は、押されたボタンに応じて異なる信号になっている。専用リモコン２００は、照明装置１に付属されて（例えば、１つのパッケージとして）販売される照明装置１専用のリモコンである。
【００２２】
照明側制御部１３３は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などによって構成されるマイクロコンピュータ、各種回路などを含んで構成される。照明側制御部１３３は、ＩＲ受信部１７から送られてきた操作信号に基づいて、発光部１６の点灯／消灯制御、発光部１６の発光光量の制御を行う。
【００２３】
配線Ｌ２を介して照明部１３に供給される電力は、照明側制御部１３３に供給される。ＩＲ受信部１３２が動作するのに電力が必要な場合には、照明部１３に供給される電力は、ＩＲ受信部１３２にも供給される（照明側制御部１３３を介して供給されてもよい。）。電力の供給によって、照明側制御部１３３などは起動し、起動した照明側制御部１３３は操作信号に基づいて発光部１３１を制御する。照明側制御部１３３は、発光部１３への所定電力量を超える電力の供給・非供給（例えば、発光に必要な閾値を超える電流を流すか流さないか）を切り替えることで、発光部１３の点灯・消灯を切り替え、発光部１３への電力の供給量（例えば、電流値）を調整することで、発光部１３の明るさを調整する。上記のように、所定電力量を超える電力の供給によって、発光部１３１による発光が可能になり、照明部１３として照明動作（操作信号に応じて点灯・非点灯、明るさの調整）が可能になる（つまり、照明部１３の電源がオンとなる）。
【００２４】
音響機器２０は、Ｂｌｕｅｔｏｏｔｈ（登録商標）送受信部２１と、音響側制御部２２と、スピーカ２３と、を少なくとも内部に備える装置であり、音声（音によって構成されるもの全般をいい、歌を含まない音楽、効果音なども含む。）をスピーカ２３から再生出力する音声出力動作（照明動作以外の動作である非照明動作の一例）を行う。
【００２５】
Ｂｌｕｅｔｏｏｔｈ送受信部２１は、Ｂｌｕｅｔｏｏｔｈ方式の無線信号（Ｂｌｕｅｔｏｏｔｈ電波）により、音響側制御部２２の制御のもとで、Ｂｌｕｅｔｏｏｔｈ方式に対応した外部機器３００と近距離無線通信を行なう各種の送受信装置（例えば、Ｂｌｕｅｔｏｏｔｈ用のＲＦモジュールやアンテナなどを含んで構成される装置）などから構成される。Ｂｌｕｅｔｏｏｔｈ送受信部２１は、近距離無線通信の初期設定として、音響側制御部２２の制御のもとで、接続相手である外部機器３００とペアリング処理を実行した後に、外部機器３００と通信可能になる。ペアリング処理とは、外部機器３００と照明装置１（ここでは、音響機器２０）との間でのＢｌｕｅｔｏｏｔｈ方式の無線通信を可能にする初期設定処理をいう。
【００２６】
外部機器３００は、例えば、照明装置１とは別体の、照明装置１の外部にある、かつ、照明装置１専用ではない機器（特に、照明装置１を操作するための専用のコントローラではなく、他の用途（照明装置全般の操作以外の用途）にも使える機器）であればよく、ここでは、携帯電話機、タブレット型コンピュータなどの、照明装置の操作に関する機能以外の所定機能を有する携帯端末である。Ｂｌｕｅｔｏｏｔｈ送受信部２１は、外部機器３００から送信される音声データ（無線信号として送信される。）を受信して、音響側制御部２２に供給する。
【００２７】
音響側制御部２２は、ＣＰＵ、ＲＡＭ、ＲＯＭなどによって構成されるマイクロコンピュータ、アンプなどの各種回路などを含んで構成される。音響側制御部２２は、Ｂｌｕｅｔｏｏｔｈ送受信部２１を制御するとともに、Ｂｌｕｅｔｏｏｔｈ送受信部２１から供給される音声データに基づいて、この音声データに応じた電気信号をスピーカ２３に供給する。この電気信号が供給されると、スピーカ２３は、電気信号に応じた音声を出力する。つまり、スピーカ２３は、前記音声データによって表される音声を音声出力する。このように、音響側制御部２２は、音声出力動作のための処理（音声出力処理）を行う。
【００２８】
スピーカ２３は、例えば、放音面が所定方向（例えば、水平方向や、水平方向に対して所定角度傾いた方向）に向いて、音響機器２０の筐体から露出するように設けられる。放音面は、例えば、音声出力を邪魔しないカバー（例えば、筐体に取り付けられる。）などによって覆われるようにしてもよい。
【００２９】
この実施の形態における音響機器２０の外観形状は、所定の厚さを持つ略円筒形状（略ドーナツ形状）であり、吊り下げ部材１２を囲む形状である。つまり、音響機器２０は、貫通孔をその中央に備える。その貫通孔に吊り下げ部材１２が挿入されている。音響機器２０は、例えば、吊り下げ部材１２のフランジ１２ｂに載置されたり、吊り下げ部材１２の円筒部１２ａに嵌合などによって固定されたりすればよい。なお、音響機器２０と、吊り下げ部材１２とは、直接接触せず、所定の振動吸収部材（例えば、音響機器２０の振動を吸収するためのものであり、天然ゴム、合成樹脂などから構成される。）を介して接触するようにしてもよい。例えば、嵌合する場合には、音響機器２０の貫通孔の内面と円筒部１２ａの外周面とが振動吸収部材を介して嵌ればよい。例えば、載置する場合には、音響機器２０がフランジ１２ｂに振動吸収部材を介して載置されればよい。
【００３０】
配線Ｌ１を介して音響機器２０に供給される電力は、音響側制御部２２及びＢｌｕｅｔｏｏｔｈ送受信部２１に供給される。電力の供給によって、照明側制御部１３３及びＢｌｕｅｔｏｏｔｈ送受信部２１は起動して動作可能になる。これ以降、Ｂｌｕｅｔｏｏｔｈ送受信部２１は、ペアリング処理を実行したり、外部機器３００との通信を行ったりする。音響側制御部２２は、Ｂｌｕｅｔｏｏｔｈ送受信部２１を制御したり、音声出力処理を実行したりする。このように、電力の供給によって、音響機器２０は、音声出力動作やペアリング処理などの各種動作が可能になる（つまり、音響機器２０の電源がオンとなる）。
【００３１】
照明装置１の天井９０への取り付け方法を説明すると、照明部１３の天面に吊り下げ部材１２をネジ１９によって取り付ける。また、吊り下げ部材１２の円筒部１２ａを音響機器２０の貫通孔に挿通する（嵌合するようにしてもよいし、載置するだけでもよい。）。このようにして組み立てられた部材を組立部材という。一方、電源接続部１１を電源部９０ａに取り付ける。組立部材を水平（図１の状態を水平とする。）に保持し、円筒部１２ａの内部に電源接続部１１が入り込むように、組立部材をそのまま鉛直方向に持ち上げる。このとき、電源接続部１１のツメ１１ａの位置と、円筒部１２ａに設けられた貫通孔１２ｃの位置と、が合うように、組立部材を持ち上げる。そうすると、円筒部１２ａの内面によって電源接続部１１のツメ１１ａが引っ込む。その後、ツメ１１ａが貫通孔１２ｃに到達すると、ツメ１１ａが電源接続部本体１１ａから出て貫通孔１２ｃ内部に入り込んで引っ掛かる。これによって、組立部材が電源接続部１１に取り付けられることになる。以上から、照明装置１が、天井９０の電源部９０ａに、電源部９０ａから脱落しないように、取り付けられることになる。
【００３２】
次に、照明装置１の動作などを説明する。
【００３３】
照明側制御部１３３は、電力の供給があって動作可能になると（起動すると）、例えば、図２に示すフローチャートの処理を実行する。例えば、照明側制御部１３３のＣＰＵがＲＯＭに格納されてプログラムや各種データを用い、ＲＡＭをメインメモリとして、図２に示すフローチャートの処理を実行する。なお、照明側制御部１３３は、電力の供給が無くなったときに、図２に示すフローチャートの処理の実行を終了する。照明側制御部１３３は、まず、ＩＲ受信部１７から操作信号が送られてきたかを判定する（ステップＳ１０１）。つまり、ステップＳ１０１では、ＩＲ受信部１７における操作信号の受信の有無が判定される。
【００３４】
操作信号の受信があった場合（ステップＳ１０１；Ｙｅｓ）、照明側制御部１３３は、受信した操作信号の種類に応じた処理を実行する（ステップＳ１０２）。
【００３５】
例えば、図３に示すように、専用リモコン２００の切り替えボタン２００ａが押された場合、専用リモコン２００から操作信号としてＩＲ信号Ａが送信される。専用リモコン２００のアップボタン２００ｂが押された場合、専用リモコン２００から操作信号としてＩＲ信号Ｂが送信される。専用リモコン２００のダウンボタン２００ｃが押された場合、専用リモコン２００から操作信号としてＩＲ信号Ｃが送信される。ＩＲ受信部１７は、ＩＲ信号Ａ〜Ｃのいずれかを受信すると、この信号を電気信号に変換して、照明側制御部１３３に送る。
【００３６】
照明側制御部１３３は、電気信号に変換されたＩＲ信号Ａを受け取ると、現在の発光部１３１が点灯している場合（例えば、照明側制御部１３３が発光部１３１に発光に必要な閾値を超える電流を供給している場合）には、発光部１３１を消灯する。例えば、照明側制御部１３３は、発光部１３１に発光に必要な閾値以下の所定の値（「０」を含む。）の電流を供給する。また、照明側制御部１３３は、電気信号に変換されたＩＲ信号Ａを受け取ると、現在の発光部１３１が点灯していない場合（例えば、照明側制御部１３３が発光部１３１に発光に必要な閾値を超える電流を供給していない場合）には、発光部１３１を点灯する。例えば、照明側制御部１３３は、発光部１３１に発光に必要な閾値以上の所定の値（例えば、発光部１３１の明るさが最大になる電流値）の電流を供給する。このように、専用リモコン２００の切り替えボタン２００ａが押された場合には、発光部１３１の状態に応じて、発光部１３１の点灯又は消灯が切り替えられる。
【００３７】
照明側制御部１３３は、電気信号に変換されたＩＲ信号Ｂを受け取ると、現在の発光部１３１が点灯している場合に、例えば、発光部１３１を流れる電流の電流値を所定量増やし、発光部１３１の明るさを一段階上げる。なお、現在の電流値が、発光部１３１の明るさが最大になる電流値である場合には、照明側制御部１３３は、その電流値を維持する。また、現在の発光部１３１が消灯している場合には、照明側制御部１３３は、電流値を増やすことはしないようにする。このように、専用リモコン２００のアップボタン２００ｂが押された場合には、点灯時には、発光部１３１の明るさ（照明部１３による照明の明るさ）が、一段階明るくなる。また、発光部１３１が消灯しているときには、消灯が維持され、また、発光部１３１の明るさが最大のときにはその明るさが維持される。
【００３８】
照明側制御部１３３は、電気信号に変換されたＩＲ信号Ｃを受け取ると、現在の発光部１３１が点灯している場合に、例えば、発光部１３１を流れる電流の電流値を所定量減らし、発光部１３１の明るさを一段階下げる。なお、現在の電流値が、発光部１３１の明るさが最小になる電流値である場合には、照明側制御部１３３は、その電流値を維持する。また、現在の発光部１３１が消灯している場合には、照明側制御部１３３は、電流値を減らさないようにする。このように、専用リモコン２００のダウンボタン２００ｃが押された場合には、点灯時には、発光部１３１の明るさ（照明部１３による照明の明るさ）が、一段階暗くなる。また、発光部１３１が消灯しているときには、消灯が維持され、また、発光部１３１の明るさが最小のときにはその明るさが維持される。
【００３９】
照明側制御部１３３は、例えば、ステップＳ１０２で発光部１３１を点灯させたり、光量を調整したりした場合には、これ以降のステップＳ１０２で、発光部１３１を消灯させたり、光量を変更したりするまでは、電流値などを維持する。このようにすることで、一度、光量の調整、消灯又は点灯の切り替えなどが行われると、再度、光量の調整、消灯又は点灯の切り替えなどが行われるまでは、発光部１３１の状態は維持される。
【００４０】
照明側制御部１３３は、操作信号の受信がない場合（ステップＳ１０１；Ｎｏ）、ステップＳ１０２の処理のあとには、再度ステップＳ１０１の処理を行う。
【００４１】
このような一連の処理によって、照明部１３は、専用リモコン２００の操作に応じて、照明動作として、点灯・消灯を切り替え、また、照明の明るさを変化させる（調整する）。
【００４２】
音響側制御部２２は、電力の供給があって動作可能になると（起動すると）、例えば、図４に示すフローチャートの処理を実行する。例えば、音響側制御部２２のＣＰＵがＲＯＭに格納されてプログラムや各種データを用い、ＲＡＭをメインメモリとして、図４に示すフローチャートの処理を実行する。なお、音響側制御部２２は、電力の供給が無くなったときに、図４に示すフローチャートの処理の実行を終了する。
【００４３】
音響側制御部２２は、まず、ＲＡＭに設けられた所定のタイマにタイマ初期値を設定する（ステップＳ２０１）。タイマ初期値は、例えば、ペアリング処理の実行期間として設けられた１０分に対応した値である。
【００４４】
次に、音響側制御部２２は、前記所定のタイマのタイマ値を１減少させるなどして、更新する（ステップＳ２０２）。その後、音響側制御部２２は、前記所定のタイマのタイマ値を所定値（例えば、「０」）に達したかを判定する（ステップＳ２０３）。
【００４５】
タイマ値が所定値に達していない場合（ステップＳ２０３；Ｎｏ）、音響側制御部２２は、Ｂｌｕｅｔｏｏｔｈ送受信部２１を制御して、Ｂｌｕｅｔｏｏｔｈ送受信部２１にペアリング処理の実行を開始させる（ステップＳ２０４）。
【００４６】
Ｂｌｕｅｔｏｏｔｈ送受信部２１は、ペアリング処理において、例えば、周囲に存在する外部機器３００（例えば、外部機器３００もペアリングを実行可能なモードになっているものとする。）との接続を確立する。例えば、ペアリング処理は、以下のような手順によって行われる。
【００４７】
（１）音響側制御部２２は、Ｂｌｕｅｔｏｏｔｈ送受信部２１をペアリング可能な状態にする。また、外部機器３００もユーザによってペアリング可能な状態にされる。
（２）外部機器３００からＢｌｕｅｔｏｏｔｈ送受信部２１を探索し、音響機器２０を発見する。
（３）外部機器３００とＢｌｕｅｔｏｏｔｈ送受信部２１とで、実際のペアリングを行なう。
（４）音響機器２０の暗証番号（例えば、予め定められており、ユーザに知らされているものとする。）を外部機器３００に入力する（なお、この入力なしに接続を確立してもよい。）。
【００４８】
Ｂｌｕｅｔｏｏｔｈ送受信部２１は、１つの外部機器３００との接続が確立するまで、又は、後述のステップＳ２０８の処理が実行されるまで、ペアリング処理を継続する。例えば、上記（３）の処理が実行される前では、Ｂｌｕｅｔｏｏｔｈ送受信部２１は、外部機器３００からＢｌｕｅｔｏｏｔｈ送受信部２１を探索する際に外部機器３００から供給される探索信号の受け付けを継続する。Ｂｌｕｅｔｏｏｔｈ送受信部２１は、１つの外部機器３００との接続が確立した場合には、確立した旨の情報を音響側制御部２２に送る。接続確立後、Ｂｌｕｅｔｏｏｔｈ送受信部２１は、外部機器３００と通信可能になる。
【００４９】
ステップＳ２０４の処理のあと、音響側制御部２２は、例えば、前記確立した旨の情報がＢｌｕｅｔｏｏｔｈ送受信部２１から供給されたかを判定することによって、外部機器３００との通信が確立されたかを確認し（ステップＳ２０５）、前記確立した旨の情報が供給されておらず通信が未確立であれば（ステップＳ２０５；Ｎｏ）、ステップＳ２０２の処理を再度行う。このようにすることで、音響側制御部２２は、ペアリング処理によって通信が確立するまで待機することになる。なお、音響側制御部２２は、２回目以降のステップＳ２０４をスキップするようにして、ペアリング処理の開始が重複しないようにするとよい。
【００５０】
ステップＳ２０３にてタイマ値が所定値に達したと判定された場合（ステップ２０３；Ｙｅｓ）、音響側制御部２２は、Ｂｌｕｅｔｏｏｔｈ送受信部２１を制御し、Ｂｌｕｅｔｏｏｔｈ送受信部２１にペアリング処理を中止させる（例えば、（２）の処理中であれば探索信号の受け付けを終了させる）（ステップＳ２０８）。音響側制御部２２は、その後、本処理を終了する。これによって、音響側制御部２２は、動作が行えない状態になる。
【００５１】
前記確立した旨の情報が供給されて通信が確立されてあれば（ステップＳ２０５；Ｙｅｓ）、外部機器３００から所定のデータを受信したかを判定する（ステップＳ２０６）。例えば、Ｂｌｕｅｔｏｏｔｈ送受信部２１は、外部機器３００から音声データの無線信号を受信すると、この音声データを音響側制御部２２に供給する。例えば、ユーザが外部機器３００を操作し、音響機器２０による音声の再生を選択すると、外部機器３００は音声データを順次送信する。音響側制御部２２は、このような音声データを受信した場合には、外部機器３００から所定のデータを受信したと判定する（ステップＳ２０６；Ｙｅｓ）。音響側制御部２２は、このような判定をした場合、受信した受信データを用いた処理を実行する（ステップＳ２０７）。具体的には、受信した音声データに基づいて、この音声データに応じた電気信号をスピーカ２３に供給する。これによって、スピーカ２３は、前記音声データによって表される音声を音声出力する。ステップＳ２０７のあとにはステップＳ２０６の処理が実行される。また、音響側制御部２２は、このような音声データを受信していない場合には、外部機器３００から所定のデータを受信していないと判定し（ステップＳ２０６；Ｎｏ）、再度ステップＳ２０６の処理を行う。
【００５２】
なお、所定のデータには、音量を指定するデータが含まれても良い。このような場合、ユーザが外部機器３００を操作し、音響機器２０から出力される音声の音量を変更する指定を行った場合、外部機器３００から所定のデータとして音量を指定するデータが出力される。このような場合、音響側制御部２２は、外部機器３００からＢｌｕｅｔｏｏｔｈ送受信部２１を介して、音量を指定するデータを受信したときに（ステップＳ２０６；Ｙｅｓ）、指定された音量で音声出力が可能となるように、音響側制御部２２に含まれるアンプの音声信号の増幅率を変化させる（ステップＳ２０７）。このように、音響側制御部２２は、音量の調整（これも、音声出力動作のための処理（音声出力処理）としてもよい。）を外部機器３００からの指令に基づいて行ってもよい。
【００５３】
上記一連の処理によって、この実施の形態の音響機器２０では、電源がオンになったあとに、ペアリング処理が所定時間（ここでは、１０分間）実行され、この期間内にペアリングが成功して通信が確立された場合には、ステップＳ２０６以降の処理（音声出力動作のための処理（音声出力処理））が行われる。
【００５４】
そして、所定のデータを受信するまでは、音響機器２０は待機し、所定のデータを受信するたびに、ステップＳ２０７の処理（音声出力の処理や、音量の調整の処理）が行われる。音声データが順次送信され、ステップＳ２０７が繰り返し行われることによって、音響機器２０は、例えば、一曲の楽曲を音声出力する。
【００５５】
上記で説明したように、この実施の形態では、音響機器２０は、照明装置１の専用でない外部機器３００と無線通信してデータを受信するＢｌｕｅｔｏｏｔｈ送受信部２１と、Ｂｌｕｅｔｏｏｔｈ送受信部２１が受信した音声データなどに基づいて音声出力処理を実行する音響側制御部２２と、を備える。そして、照明部１３及び音響機器２０は、壁スイッチ１００による電源のオンによって、照明部１３及び音響機器２０（特にＢｌｕｅｔｏｏｔｈ送受信部２１）がはじめて動作可能になり、特に、Ｂｌｕｅｔｏｏｔｈ送受信部２１が動作可能になってからしか外部機器３００と通信できないようになっているため、壁スイッチ１００によってのみ電源がオンし、外部機器３００によっては電源がオンしないように構成されている（なお、このようにする具体的構成は、この実施形態の態様に限らず、適宜の態様で可能である。例えば、Ｂｌｕｅｔｏｏｔｈ送受信部２１はそもそも外部機器３００からの照明装置１の電源をオンするための信号を受け付けないように構成されてもよい。）。外部機器３００によって照明装置１（照明部１０及び音響機器２０）の電源をオンするようにしてしまうと（例えば、外部機器３００と照明装置１（Ｂｌｕｅｔｏｏｔｈ送受信部２１）との無線通信によって、照明装置１（照明部１０及び音響機器２０）の電源をオンするようにしてしまうと）、照明装置の電源のオンの安全性が確保できないことがあった。例えば、照明装置１の誤作動（例えば、外部機器３００と照明装置１との無線通信の誤認識による電源のオンなど）の確率が上がる、外部機器３００以外の外部機器（例えば、意図しない他人の外部機器）からも照明部１０及び音響機器２０の電源をオンできてしまうなどによって、照明装置の電源のオンの安全性を損なわれてしまう場合があった。しかし、この実施の形態では、照明部１３及び音響機器２０は、壁スイッチ１００によってのみ電源がオンし、外部機器３００によっては電源がオンしないように構成されているので、照明装置の電源のオンの安全性が確保されている。Ｂｌｕｅｔｏｏｔｈ送受信部２１及び音響側制御部２２は、音響機器２０の電源がオンすることによって動作可能になり、外部機器３００によって動作可能にならないので、より誤動作などを防止でき、照明装置の電源のオンの安全性が確保される。
【００５６】
また、この実施の形態では、Ｂｌｕｅｔｏｏｔｈ送受信部２１は、外部機器３００との無線通信を開始するためのペアリング処理を、音響機器２０がオン状態になったときから所定時間（ここでは１０分）に達するまでの間に実行し、前記所定時間に達したあとはペアリング処理を終了するようになっている。所定時間は、ユーザが壁スイッチ１００をオンとしたあとに、照明装置１の周囲にいる可能性が高い時間として設定されればよい。このようなときには、ユーザによって外部機器３００と音響機器２０とのペアリングが行われる可能性が高いので、音響機器２０が他の外部機器と意図せずペアリングできてしまうことを防止できる。
【００５７】
本発明は、この実施形態で説明した構成に限らず、この実施形態を変更してもよい。また、上記実施形態の構成は、適宜省略してもよい。下記にこの実施形態の変形例を列挙するが、下記の変形例の一部のみをこの実施形態に適用したり、少なくとも一つ変形例の一部を他の変形例などに組み合せたりしてもよい。
【００５８】
（変形例１）
上記実施の形態では、照明部１３が、照明動作として、点灯・消灯と、照明の明るさの調整（調光）とを行うとして説明しているが、照明動作は、照明に関連する動作であればよい。照明動作は、例えば、消灯・点灯、消灯・点灯に関するタイマの設定、及び、タイマの設定がされた時間に照明を消灯又は点灯させることなどの少なくとも１つを含む、照明の点灯・消灯のタイミングに関連する動作を含んでもよい。また、照明動作は、調光、照明を点滅させること、及び、照明の色を変化させることなどの少なくとも１つを含む、照明の状態を変化させる動作を含んでもよい。また、上記では、照明動作以外の動作である非照明動作を行う電子機器として、音声出力動作（音声の再生出力の動作）を行う音響機器２０を例示しているが、電子機器は非照明動作を行うものであれば、他の機器であってもよい。非照明動作は、照明に関連しない動作であればよく、照明動作以外の動作であればよい。例えば、電子機器は、壁に画像を投影する動作を非照明動作として行うプロジェクターなどであってもよい。
【００５９】
（変形例２）
例えば、照明部１０の電源及び音響機器２０の電源は、専用リモコン２００によってオンし、動作可能になるようにしてもよい。例えば、専用リモコン２００に電源ボタンを設け、この電源ボタンが押され、その操作信号が供給されることで、照明部１０及び音響機器２０が動作可能になり、照明部１０及び音響機器２０それぞれの電源がオンするようにしてもよい。このように、照明部１０の電源及び音響機器２０の電源は、照明装置１の専用の操作部によって、オンされるように構成されればよい。照明装置１の専用の操作部（専用操作部）とは、照明装置１以外の装置には使用できない操作部であればよい。なお、専用操作部は、ある照明装置１と同じ種類（例えば、同じ型番など。色や形状などが異なる同じタイプのものなどであってもよい。）の他の照明装置に使用可能なものであってもよい。つまり、「専用」とは、ある１つの照明装置専用という意味の他、同じ種類の照明装置についてのみ使用できるという意味での専用という概念も含む。具体的には、例えば、１つの専用操作部によって、２つ以上の同種の照明装置１を操作できるようにしてもよい（例えば、専用操作部が専用リモコン２００の場合には、同時ではなく、チャンネルなどを切り替えて、順次操作できるようにする場合も含む。）。このような場合、専用リモコン２００は、照明装置「専用」であればよく、付属して販売されるものでなくてもよい。なお、専用操作部は、照明装置１（照明部１０及び音響機器２０）の電源をオンするための電源ボタン（照明部１０及び音響機器２０それぞれに設けられてもよいし、共通で１つ設けられてもよい。）の操作部などであってもよい。
【００６０】
（変形例３）
例えば、音響側制御部２２は、照明側制御部１３３によって制御されるようにし、照明部１３の電源がオンになると、照明側制御部１３３は、音響制御部２２を制御して音響側制御部１３３を起動するようにし、これによって、音響機器２０の電源をオンするようにしてもよい。
【００６１】
また、音響側制御部２２及びＢｌｕｅｔｏｏｔｈ送受信部２１と配線Ｌ１との間にＦＥＴ（Ｆｉｅｌｄ  ｅｆｆｅｃｔ  ｔｒａｎｓｉｓｔｏｒ）などの半導体スイッチなどを設け、照明部１３の電源がオンになると、照明側制御部１３３は、この半導体スイッチにオン信号を供給することで、音響側制御部２２及びＢｌｕｅｔｏｏｔｈ送受信部２１に電力が供給されるようにして、音響機器２０の電源をオンするようにしてもよい。
【００６２】
さらに、配線Ｌ１を省略し、照明側制御部１３３などと音響機器２０とを電源線で接続し、照明部１３の電源がオンになると、照明側制御部１３３は、音響機器２０（音響側制御部２２及びＢｌｕｅｔｏｏｔｈ送受信部２１）への電力の供給を開始し、音響機器２０の電源をオンしてもよい。
【００６３】
上記で例示するように、照明部１３は、壁スイッチ１００、専用コントローラ２００などの照明装置１の専用の操作部への操作に基づいて動作可能になり（電源がオンし）、音響機器２０は、照明部１３の電源がオンしたことに基づいて動作可能になる（電源がオンする）ようにしてもよい。
【００６４】
（変形例４）
発光部１３１は、ＬＥＤ以外の他の発光装置（例えば、有機ＥＬ（Electro Luminescence）の発光装置等）を含んで構成されるようにしてもよい。つまり、照明部１３は、ＬＥＤ照明以外の、例えば、有機ＥＬ照明であってもよい。
【００６５】
（変形例５）
音響機器２０（電子機器）と、外部機器３００とは、無線通信できればよいが、近距離無線通信とすることが望ましい。また、無線通信の規格は、近距離無線通信の規格の一例であるＢｌｕｅｔｏｏｔｈ以外の規格であってもよい。つまり、Ｂｌｕｅｔｏｏｔｈ送受信部２１は、外部機器と無線通信してデータを受信する他の無線通信部に変更されてもよい。
【００６６】
（変形例６）
上記実施形態では、照明部１３と音響機器２０（電子機器）とは異なる筐体を有し、別体の装置として構成されているが、照明部１３と音響機器２０（電子機器）とは、１つの筐体内に収納され、１つの装置の構成要素として構成されてもよい。このような場合、その１つの装置は、直接電源部９０ａに取り付けられてもよい。照明装置１は、照明部１３と音響機器２０（電子機器）とを備えればよく、電源接続部１１と、吊り下げ部材１２とを設けなくてもよい。このような場合であっても、例えば、電源部９０ａとの接続部は設けるようにするとよい。また、照明装置１は、天井の電源部９０ａの他、どのような部分に取り付けられてもよい（例えば、電池などで駆動するようにして、電源部以外の部分に取り付けられてもよい。）。また、照明装置１は、床やテーブルなどに置かれるタイプであってもよい。この場合には、コンセントなどで電源が確保されてもよいし、電池などで電源が確保されてもよい。さらに、照明部１３の構成要素（構成部材）と音響機器２０の構成要素（構成部材）とで、共通の部材（装置等）を使用してもよい。例えば、音響側制御部２２の少なくとも一部（音響側制御部２２が行う処理の少なくとも一部を実行する部分）と、照明側制御部１３３の少なくとも一部（照明側制御部１３３が行う処理の少なくとも一部を実行する部分）とは、共通のマイクロコンピュータなどによって実現するようにしてもよい。例えば、音響側制御部２２と照明側制御部１３３とは、音響側制御部２２の処理と照明側制御部１３３の処理とを実行する１つのマイクロコンピュータによって実現されてもよい。このような場合には、例えば、照明部１３と音響機器２０（電子機器）とは、同時に電源がオンになることになる。また、音響側制御部２２の少なくとも一部（音響側制御部２２が行う処理の少なくとも一部を実行する部分）及びＢｌｕｅｔｏｏｔｈ送受信部２１の少なくとも一部（Ｂｌｕｅｔｏｏｔｈ送受信部２１が行う処理の少なくとも一部を実行する部分）も、共通のマイクロコンピュータなどによって実現するようにしてもよい。
【００６７】
（変形例７）
上記の実施形態では、ペアリング処理が音響機器２０の電源がオンになった直後の所定期間にのみ実行されるようになっているが、前記所定の期間の経過後であっても、ユーザからの指示などによって、適宜のタイミングでペアリング処理が実行されるようにしてもよい。例えば、音響側制御部２２は照明側制御部１３３によって制御可能とする。さらに、専用リモコン２００にペアリング指示ボタンを設ける。このペアリング指示ボタンが押され、その操作信号が供給されると、照明側制御部１３３はその操作信号に基づいて、ペアリングを指示する信号を音響側制御部２２に供給する。音響側制御部２２は、この信号を受け取った場合に、所定期間（上記１０分でもよいし、他の時間でもよい。）においてペアリング処理を実行するようにしてもよい。このようにすることで、ペアリングに失敗した場合であっても、再度ペアリング処理を実行することができる。
【００６８】
（変形例８）
上記実施の形態では、外部機器３００から照明部１３の電源と音響機器２０（電子機器）の電源とをオン及びオフできないようにしているが、オフについては外部機器３００から行えるように照明装置１を構成してもよい。
【００６９】
（変形例９）
照明装置１の照明部１３は、電源のオン以外の動作（上記調光、タイマの設定など）を外部機器３００への操作に基づいて行ってもよい。例えば、外部機器３００に対して調光などを指示する操作がユーザによってなされると、外部機器３００はこの操作を表す情報をＢｌｕｅｔｏｏｔｈ送受信部２１に送信する。Ｂｌｕｅｔｏｏｔｈ送受信部２１は受信したこの情報を直接照明側制御部１３３に、又は、音響側制御部２２を介して照明側制御部１３３に供給する。照明側制御部１３３は、供給された情報が表す操作に応じた処理を行い調光などを行う。なお、このとき、照明部１３は、電力の供給があり、照明が消灯しているが、外部機器３００からの点灯の指示の操作を表す情報（あるいは、照明を明るくする調光を指示する操作を表す情報）をＢｌｕｅｔｏｏｔｈ送受信部２１で受信したときに、照明側制御部１３３によって点灯（調光によって明るさを上げた結果点灯することも含む）できる状態、つまり、明るさが０％の調光状態（１００％が明るさ最大の状態）になることが可能である。このような状態は、スリープ状態又はスタンバイ状態の一例であり、このような状態の照明部１３は、電源がオンになっているといえる。同様に、音響機器２０（電子機器）は、電力の供給があり、Ｂｌｕｅｔｏｏｔｈ送受信部２１が何らかの情報を受信したときに、直ちに音響側制御部２２（受信前には音響側制御部２２は動作していない待機状態になっている。）が起動して受信した情報に応じた処理（音声出力処理など）を実行できる状態になることが可能なように構成されてもよい。このような状態は、スリープ状態又はスタンバイ状態の一例であり、このような状態の音響機器２０は、電源がオンになっているといえる。
【００７０】
上記の実施形態等の一部又は全部は、以下の付記のようにも記載されうるが、以下に限られない。
【００７１】
（付記１）
照明動作を行う照明部と、前記照明動作とは異なる非照明動作を行う電子機器と、を備える照明装置であって、
前記電子機器は、前記照明装置専用でない外部機器と無線通信してデータを受信する無線通信手段と、前記無線通信手段が受信した前記データに基づいて前記非照明動作のための処理を実行する処理実行手段と、を備え、
前記照明部及び前記電子機器は、前記照明装置の専用操作部によって電源がオンし、前記外部機器によっては電源がオンしないように構成されている、
ことを特徴とする照明装置。
【００７２】
（付記２）
前記無線通信手段は、前記外部機器との無線通信を開始するための処理を、前記電子機器がオン状態になったときから所定時間に達するまでの間に実行し、前記所定時間に達したあとは前記処理を終了する、
ことを特徴とする付記１に記載の照明装置。
【００７３】
（付記３）
前記照明部は、前記専用操作部への操作に基づいて電源がオンし、
前記電子機器は、前記照明部の電源がオンしたことに基づいて電源がオンする、
ことを特徴とする付記１又は２に記載の照明装置。
【００７４】
（付記４）
前記専用操作部は、壁スイッチであるか、前記照明装置の付属のリモートコントローラであるか、または、前記照明装置の専用リモートコントローラである、
ことを特徴とする付記１乃至３のいずれかに記載の照明装置。
【００７５】
（付記５）
前記無線通信は、近距離無線通信である、
ことを特徴とする付記１乃至４のいずれかに記載の照明装置。
【００７６】
（付記６）
前記電子機器は、スピーカを備える音響機器であり、
前記無線通信手段は、音声を表す音声データを受信し、
前記処理実行手段は、前記音声データが表す前記音声を前記スピーカから出力する、
ことを特徴とする付記１乃至５のいずれかに記載の照明装置。
【符号の説明】
【００７７】
１      照明装置
１３    照明部
２０    音響機器
２１    Ｂｌｕｅｔｏｏｔｈ送受信部
２２    音響側制御部
２３    スピーカ
１３１  発光部
１３２  ＩＲ受信部
１３３  照明側制御部
【図１】
2014099369.tif 000003
【図２】
2014099369.tif 000004
【図３】
2014099369.tif 000005
【図４】
2014099369.tif 000006